【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
遊技場に設置される複数の遊技機設置島それぞれに設けられた貯留領域に貯留された遊技球の貯留量を調整する制御を行う補給管理装置であって、
前記複数の遊技機設置島それぞれを、複数のグループ島群のうちのいずれか１つのグループ島群に属する遊技機設置島として設定するグループ島群設定手段と、
前記遊技機設置島それぞれの貯留領域に貯留された遊技球の貯留量を特定する貯留量特定手段と、
前記貯留量特定手段の特定結果に基づき、前記グループ島群設定手段にて設定された各グループ島群内において互いに隣り合う遊技機設置島それぞれの遊技球の貯留量を比較するとともに、該比較した貯留量の差が予め定められた島間判定値に達したか否かを判定する島間判定手段と、
前記貯留量特定手段の特定結果に基づき、前記グループ島群設定手段により設定されたグループ島群における遊技球の総貯留量を特定する総貯留量特定手段と、
前記総貯留量特定手段の特定結果に基づき、互いに隣り合う相互のグループ島群の遊技球の総貯留量を比較するとともに、該比較した総貯留量の差が予め定められた島群間判定値に達したか否かを判定する島群間判定手段と、
前記島群間判定値を前記遊技球の送受を行う互いに隣り合う相互のグループ島群毎に設定する島群間判定値設定手段と、
前記島間判定手段が前記島間判定値に達したと判定したとき、前記貯留量の差が前記予め定められた島間判定値未満となるまで、前記互いに隣り合う遊技機設置島のうち貯留量が多い遊技機設置島から貯留量が少ない遊技機設置島に島間遊技球送受装置を介して遊技球を供給させる島間供給制御と、前記島群間判定手段が前記島群間判定値に達したと判定したとき、前記総貯留量の差が前記予め定められた島群間判定値未満となるまで、前記互いに隣り合う相互のグループ島群のうち総貯留量が多いグループ島群に属する遊技機設置島から総貯留量が少ないグループ島群に属する遊技機設置島に島群間遊技球送受装置を介して遊技球を供給させる島群間供給制御と、を行う球供給制御手段と、
を備え、
前記球供給制御手段は、前記島間供給制御と前記島群間供給制御とを同時に実行可能であることを特徴とする補給管理装置。
【請求項２】
前記島群間判定手段が前記島群間判定値に達したと判定したとき、相互のグループ島群における遊技球の送受が終了する以前に、該相互のグループ島群のうち遊技球を供給するグループ島群の前記遊技球の送受が終了したときにおける仮想総貯留量を算出する仮想総貯留量算出手段と、
前記仮想総貯留量算出手段により算出された仮想総貯留量と、該仮想総貯留量を算出したグループ島群と隣り合う他のグループ島群の総貯留量と、を比較するとともに、該比較した仮想総貯留量と総貯留量との差が前記予め定められた島群間判定値に達したか否かを判定する仮想判定手段と、
を備え、
前記球供給制御手段における島群間供給制御は、
前記仮想判定手段が前記仮想貯留量と前記他のグループ島群の総貯留量との差が前記予め定められた島群間判定値に達したと判定したとき、前記仮想総貯留量を算出したグループ島群及び前記他のグループ島群のうち前記総貯留量が多いグループ島群から前記総貯留量が少ないグループ島群に前記仮想総貯留量と前記総貯留量との差が前記予め定められた島群間判定値未満となるまで前記島群間遊技球送受装置を介して遊技球を供給させる請求項１に記載の補給管理装置。
【請求項３】
前記貯留領域の所定箇所に複数配設され、該貯留領域に貯留された遊技球を検出する貯留球検出手段と、
前記貯留領域に複数配設された前記貯留球検出手段の数量を設定する数量設定手段と、
を備え、
前記貯留量特定手段は、
前記数量設定手段により設定された数量の前記貯留球検出手段の検出結果に基づき、前記遊技球の貯留量を特定するとともに、
前記総貯留量特定手段は、
前記貯留量特定手段の特定結果に基づき、前記グループ島群設定手段により設定されたグループ島群における遊技球の総貯留量を特定する請求項１または２に記載の補給管理装置。
【請求項４】
遊技者が獲得した遊技球数を計数し、該計数した計数球を球排出路を介して前記貯留領域に排出する獲得球数計数装置が前記遊技機設置島に設置されているか否かを設定する計数装置設定手段を備え、
前記予め定められた島群間判定値は、
第１島群間判定値と、該第１島群間判定値よりも貯留量の差が大きい第２島群間判定値と、を含み、
前記島群間判定手段及び／または前記仮想判定手段は、
前記相互のグループ島群それぞれに属する遊技機設置島のいずれも前記獲得球数計数装置が設置されていないと設定されているときは前記第１島群間判定値を用いて比較を行い、
前記相互のグループ島群のうちのいずれかのグループ島群に属する遊技機設置島に前記獲得球数計数装置が設置されていると設定されているときは前記第２島群間判定値を用いて比較を行う請求項１〜３のいずれかに記載の補給管理装置。
【手続補正２】
【補正対象書類名】明細書
【補正対象項目名】０００７
【補正方法】変更
【補正の内容】
【０００７】
上記課題を解決するために、本発明の請求項１に記載の補給管理装置は、
遊技場に設置される複数の遊技機設置島それぞれに設けられた貯留領域に貯留された遊技球の貯留量を調整する制御を行う補給管理装置であって、
前記複数の遊技機設置島それぞれを、複数のグループ島群のうちのいずれか１つのグループ島群に属する遊技機設置島として設定するグループ島群設定手段と、
前記遊技機設置島それぞれの貯留領域に貯留された遊技球の貯留量を特定する貯留量特定手段と、
前記貯留量特定手段の特定結果に基づき、前記グループ島群設定手段にて設定された各グループ島群内において互いに隣り合う遊技機設置島それぞれの遊技球の貯留量を比較するとともに、該比較した貯留量の差が予め定められた島間判定値に達したか否かを判定する島間判定手段と、
前記貯留量特定手段の特定結果に基づき、前記グループ島群設定手段により設定されたグループ島群における遊技球の総貯留量を特定する総貯留量特定手段と、
前記総貯留量特定手段の特定結果に基づき、互いに隣り合う相互のグループ島群の遊技球の総貯留量を比較するとともに、該比較した総貯留量の差が予め定められた島群間判定値に達したか否かを判定する島群間判定手段と、
前記島群間判定値を前記遊技球の送受を行う互いに隣り合う相互のグループ島群毎に設定する島群間判定値設定手段と、
前記島間判定手段が前記島間判定値に達したと判定したとき、前記貯留量の差が前記予め定められた島間判定値未満となるまで、前記互いに隣り合う遊技機設置島のうち貯留量が多い遊技機設置島から貯留量が少ない遊技機設置島に島間遊技球送受装置を介して遊技球を供給させる島間供給制御と、前記島群間判定手段が前記島群間判定値に達したと判定したとき、前記総貯留量の差が前記予め定められた島群間判定値未満となるまで、前記互いに隣り合う相互のグループ島群のうち総貯留量が多いグループ島群に属する遊技機設置島から総貯留量が少ないグループ島群に属する遊技機設置島に島群間遊技球送受装置を介して遊技球を供給させる島群間供給制御と、を行う球供給制御手段と、
を備え、
前記球供給制御手段は、前記島間供給制御と前記島群間供給制御とを同時に実行可能であることを特徴としている。
この特徴によれば、遊技球の送受を行う相互の遊技機設置島間の貯留量の差が生じることで遊技球の送受が行われるだけでなく、複数の遊技機設置島からなる複数のグループ島群の総貯留量の差が生じることによっても遊技球の送受が行われることで、グループ島群で貯留量を調整しながら各遊技機設置島間で総貯留量の調整を行うことができるため、遊技場に設置された全ての遊技機設置島の貯留量の調整を迅速に行うことができる。また、島群間判定値をグループ島群毎に設定することができるため、各グループ島群における適切な総貯留量がそれぞれ異なる場合でも、各グループ島群の貯留量の調整を正確に行うことができる。
【手続補正３】
【補正対象書類名】明細書
【補正対象項目名】０００８
【補正方法】変更
【補正の内容】
【０００８】
本発明の請求項２に記載の補給管理装置は、請求項１に記載の補給管理装置であって、
前記島群間判定手段が前記島群間判定値に達したと判定したとき、相互のグループ島群における遊技球の送受が終了する以前に、該相互のグループ島群のうち遊技球を供給するグループ島群の前記遊技球の送受が終了したときにおける仮想総貯留量を算出する仮想総貯留量算出手段と、
前記仮想総貯留量算出手段により算出された仮想総貯留量と、該仮想総貯留量を算出したグループ島群と隣り合う他のグループ島群の総貯留量と、を比較するとともに、該比較した仮想総貯留量と総貯留量との差が前記予め定められた島群間判定値に達したか否かを判定する仮想判定手段と、
を備え、
前記球供給制御手段における島群間供給制御は、
前記仮想判定手段が前記仮想貯留量と前記他のグループ島群の総貯留量との差が前記予め定められた島群間判定値に達したと判定したとき、前記仮想総貯留量を算出したグループ島群及び前記他のグループ島群のうち前記総貯留量が多いグループ島群から前記総貯留量が少ないグループ島群に前記仮想総貯留量と前記総貯留量との差が前記予め定められた島群間判定値未満となるまで前記島群間遊技球送受装置を介して遊技球を供給させることを特徴としている。
この特徴によれば、相互のグループ島群での遊技球の送受の終了を待たずに、該相互のグループ島群における供給遊技機設置島が属するグループ島群とさらに別の他のグループ島群との間で遊技球の送受を行うことができる。すなわち、３以上のグループ島群での総貯留量の調整を同時に行うことができるため、遊技場に設置された全ての遊技機設置島の貯留量の調整を迅速に行うことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の請求項３に記載の補給管理装置は、請求項１または２に記載の補給管理装置であって、
前記貯留領域の所定箇所に複数配設され、該貯留領域に貯留された遊技球を検出する貯留球検出手段と、
前記貯留領域に複数配設された前記貯留球検出手段の数量を設定する数量設定手段と、
を備え、
前記貯留量特定手段は、
前記数量設定手段により設定された数量の前記貯留球検出手段の検出結果に基づき、前記遊技球の貯留量を特定するとともに、
前記総貯留量特定手段は、
前記貯留量特定手段の特定結果に基づき、前記グループ島群設定手段により設定されたグループ島群における遊技球の総貯留量を特定することを特徴としている。
この特徴によれば、遊技機設置島に設けられた貯留領域の寸法に最適な数量の貯留球検出手段を配置し、該貯留球検出手段の検出結果に基づいてグループ島群の総貯留量を特定できるため、グループ島群の総貯留量の差を的確に判定して遊技球の送受を行うことができる。
【手続補正６】
【補正対象書類名】明細書
【補正対象項目名】００１１
【補正方法】変更
【補正の内容】
【００１１】
本発明の請求項４に記載の補給管理装置は、請求項１〜３のいずれかに記載の補給管理装置であって、
遊技者が獲得した遊技球数を計数し、該計数した計数球を球排出路を介して前記貯留領域に排出する獲得球数計数装置が前記遊技機設置島に設置されているか否かを設定する計数装置設定手段を備え、
前記予め定められた島群間判定値は、
第１島群間判定値と、該第１島群間判定値よりも貯留量の差が大きい第２島群間判定値と、を含み、
前記島群間判定手段及び／または前記仮想判定手段は、
前記相互のグループ島群それぞれに属する遊技機設置島のいずれも前記獲得球数計数装置が設置されていないと設定されているときは前記第１島群間判定値を用いて比較を行い、
前記相互のグループ島群のうちのいずれかのグループ島群に属する遊技機設置島に前記獲得球数計数装置が設置されていると設定されているときは前記第２島群間判定値を用いて比較を行うことを特徴としている。
この特徴によれば、獲得球数計数装置からの遊技球を受入れるために貯留領域に極力遊技球を貯留させない遊技機設置島が属するグループ島群と該獲得球数計数装置が設置されていない遊技機設置島からなるグループ島群とでの総貯留量の比較と、獲得球数計数装置が設置されていない遊技機設置島からなるグループ島群での総貯留量の比較と、で値が異なる島群間判定値を適用するため、いずれかのグループ島群に獲得球数計数装置が設置された遊技機設置島が属する場合でも、総貯留量の比較を的確に行うことができる。
【手続補正７】
【補正対象書類名】明細書
【補正対象項目名】０１６５
【補正方法】変更
【補正の内容】
【０１６５】
本発明の請求項１は、遊技場（遊技店）に設置される複数の遊技機設置島（１）それぞれに設けられた貯留領域（下部タンク９Ｌ、９Ｒ）に貯留された遊技球（パチンコ球）の貯留量（貯留量レベル）を調整する制御を行う補給管理装置（管理コンピュータ４３０）であって、前記複数の遊技機設置島それぞれを、複数のグループ島群のうちのいずれか１つのグループ島群に属する遊技機設置島として設定するグループ島群設定手段｛管理コンピュータ４３０の制御部４３１（グループ島群設定画面）｝と、前記遊技機設置島それぞれの貯留領域に貯留された遊技球の貯留量を特定する貯留量特定手段｛管理コンピュータ４３０の制御部４３１（球送受開始処理におけるＳｂ１）｝と、前記貯留量特定手段の特定結果に基づき、前記グループ島群設定手段にて設定された各グループ島群内において互いに隣り合う遊技機設置島それぞれの遊技球の貯留量を比較するとともに、該比較した貯留量の差（貯留量レベル差）が予め定められた島間判定値（貯留量レベル差２またはレベル差３）に達したか否かを判定する島間判定手段｛管理コンピュータ４３０の制御部４３１｝と、前記貯留量特定手段の特定結果に基づき、前記グループ島群設定手段により設定されたグループ島群における遊技球の総貯留量を特定する総貯留量特定手段｛管理コンピュータ４３０の制御部４３１（球送受開始処理におけるＳｂ１）｝と、前記総貯留量特定手段の特定結果に基づき、互いに隣り合う相互のグループ島群の遊技球の総貯留量を比較するとともに、該比較した総貯留量の差（総貯留量レベル差）が予め定められた島群間判定値（貯留量レベル差２またはレベル差３）に達したか否かを判定する島群間判定手段｛管理コンピュータ４３０の制御部４３１（球送受開始処理におけるＳｂ１）｝と、前記島群間判定値を前記遊技球の送受を行う互いに隣り合う相互のグループ島群毎に設定する島群間判定値設定手段と、前記島間判定手段が前記島間判定値に達したと判定したとき、前記貯留量の差が前記予め定められた島間判定値未満となるまで、前記互いに隣り合う遊技機設置島のうち貯留量が多い遊技機設置島から貯留量が少ない遊技機設置島に島間遊技球送受装置を介して遊技球を供給させる島間供給制御と、前記島群間判定手段が前記島群間判定値に達したと判定したとき、前記総貯留量の差が前記予め定められた島群間判定値未
満となるまで、前記互いに隣り合う相互のグループ島群のうち総貯留量が多いグループ島群に属する遊技機設置島から総貯留量が少ないグループ島群に属する遊技機設置島に島群間遊技球送受装置を介して遊技球を供給させる島群間供給制御と、を行う球供給制御手段｛管理コンピュータ４３０の制御部４３１（球送受開始処理におけるＳｂ２、Ｓｂ６）｝と、を備え、前記球供給制御手段は、前記島間供給制御と前記島群間供給制御とを同時に実行可能である。
【手続補正８】
【補正対象書類名】明細書
【補正対象項目名】０１６６
【補正方法】変更
【補正の内容】
【０１６６】
本発明の請求項２は、前記島群間判定手段｛管理コンピュータ４３０の制御部４３１（球送受開始処理におけるＳｂ１）｝が前記島群間判定値（貯留量レベル差２またはレベル差３）に達したと判定したとき、相互のグループ島群（グループ島群Ａ−Ｂ）における遊技球の送受が終了する以前に、該相互のグループ島群のうち遊技球を供給するグループ島群（Ｂ）の前記遊技球（パチンコ球）の送受が終了したときにおける仮想総貯留量（仮想総貯留量レベル）を算出する仮想総貯留量算出手段｛管理コンピュータ４３０の制御部４３１（球送受開始処理におけるＳｂ４）｝と、前記仮想総貯留量算出手段により算出された仮想総貯留量と、該仮想総貯留量を算出したグループ島群と隣り合う他のグループ島群（グループ島群Ｃ）の総貯留量（総貯留量レベル）と、を比較するとともに、該比較した仮想総貯留量と総貯留量との差が前記予め定められた島群間判定値（レベル差２）に達したか否かを判定する仮想判定手段｛管理コンピュータ４３０の制御部４３１（球送受開始処理におけるＳｂ５）｝と、を備え、前記球供給制御手段における島群間供給制御は｛管理コンピュータ４３０の制御部４３１（球送受開始処理におけるＳｂ６）｝、前記仮想判定手段が前記仮想貯留量と前記他のグループ島群の総貯留量との差が前記予め定められた島群間判定値（レベル差２）に達したと判定したとき、前記仮想総貯留量を算出したグループ島群及び前記他のグループ島群のうち前記総貯留量が多いグループ島群（グループ島群Ｃ）から前記総貯留量が少ないグループ島群（グループ島群Ｂ）に前記仮想総貯留量と前記総貯留量との差が前記予め定められた島群間判定値未満となるまで前記島群間遊技球送受装置を介して遊技球を供給させる。
【手続補正９】
【補正対象書類名】明細書
【補正対象項目名】０１６７
【補正方法】削除
【補正の内容】
【手続補正１０】
【補正対象書類名】明細書
【補正対象項目名】０１６８
【補正方法】変更
【補正の内容】
【０１６８】
本発明の請求項３は、前記貯留領域（下部タンク９Ｌ、９Ｒ）の所定箇所に複数配設され、該貯留領域に貯留された遊技球（パチンコ球）を検出する貯留球検出手段（貯留量検出センサ４１０ａ〜４１０ｆ、４１１ａ〜４１１ｆ）と、前記貯留領域に複数配設された前記貯留球検出手段の数量を設定する数量設定手段｛管理コンピュータ４３０の制御部４３１（センサ数量設定画面）｝と、を備え、前記貯留量特定手段｛管理コンピュータ４３０の制御部４３１（球送受開始処理におけるＳｂ１）｝は、前記数量設定手段により設定された数量の前記貯留球検出手段の検出結果に基づき、前記遊技球の貯留量（貯留量レベル）を特定するとともに、前記総貯留量特定手段｛管理コンピュータ４３０の制御部４３１（球送受開始処理におけるＳｂ１）｝は、前記貯留量特定手段の特定結果に基づき、前記グループ島群設定手段｛管理コンピュータ４３０の制御部４３１（グループ島群設定画面）｝により設定されたグループ島群における遊技球の総貯留量（総貯留量レベル）を特定する。
【手続補正１１】
【補正対象書類名】明細書
【補正対象項目名】０１６９
【補正方法】変更
【補正の内容】
【０１６９】
本発明の請求項４は、遊技者が獲得した遊技球数を計数し、該計数した計数球（計数されたパチンコ球数）を球排出路（排出路１６）を介して前記貯留領域（下部タンク９Ｌ、９Ｒ）に排出する獲得球数計数装置（計数装置１５）が前記遊技機設置島（１）に設置されているか否かを設定する計数装置設定手段｛管理コンピュータ４３０の制御部４３１（計数装置設定画面）｝を備え、前記予め定められた島群間判定値は、第１島群間判定値（レベル差２）と、該第１島群間判定値よりも貯留量の差が大きい第２島群間判定値（レベル差３）と、を含み、前記島群間判定手段｛管理コンピュータ４３０の制御部４３１（球送受開始処理におけるＳｂ１）｝及び／または前記仮想判定手段｛管理コンピュータ４３０の制御部４３１（球送受開始処理におけるＳｂ５）｝は、前記相互のグループ島群（Ｂ−Ｃ）それぞれに属する遊技機設置島（１）のいずれも前記獲得球数計数装置が設置されていないと設定されているときは前記第１島群間判定値を用いて比較を行い、前記相互のグループ島群（Ａ−Ｂ／Ｃ−Ｄ）のうちのいずれかのグループ島群に属する遊技機設置島に前記獲得球数計数装置が設置されていると設定されているときは前記第２島群間判定値を用いて比較を行う。